(57)【要約】【課題】データ駆動部の状態を認知したタイミング制御部が非正常的な状態で動作するデータ駆動部を正常化させることができる適切なデータ信号及び制御信号を送って迅速に正常な動作を回復することができるようにしたデータ駆動部のモニタリング手段が具備されたディスプレイ駆動システムを提供する。【解決手段】本発明は、タイミング制御部でインターフェース部を通じて伝送されるクロック信号とデータ信号を処理して、ディスプレイパネルに供給する間に、データ駆動部の状態変化をモニタリングしてタイミング制御部にフィードバックできるようにしたモニタリング手段が具備された。【選択図】図１
2010204667.tif 000002
【特許請求の範囲】
【請求項１】
ディスプレイ駆動システムにおいて、
画像データでなされたデータ信号を受信してクロック信号などの制御信号を生成するタイミング制御部と、
前記データ信号と制御信号を多数個のデータ駆動部に送るインターフェース部と、
前記インターフェース部を通じてデータ信号と制御信号を受信して、ディスプレイパネルに供給して表出するデータ駆動部と、及び
前記データ駆動部の状態情報を示すＬＯＣＫ信号を前記タイミング制御部にフィードバックさせて、データ駆動部をモニタリングするモニタリング手段を含んで構成されることを特徴とするデータ駆動部のモニタリング手段が具備されたディスプレイ駆動システム。
【請求項２】
前記データ駆動部は、非正常的な状態になると前記ＬＯＣＫ信号を非活性化させて出力して、
前記モニタリング手段は、前記データ駆動部相互間に連結されて各データ駆動部で自分の状態情報を示すＬＯＣＫ信号を隣接した他のデータ駆動部に順次に送って、最後に位置した最終データ駆動部は前記タイミング制御部に連結されて前記ＬＯＣＫ信号をタイミング制御部にフィードバックさせる第１順次伝達部で構成されることを特徴とする請求項１に記載のデータ駆動部のモニタリング手段が具備されたディスプレイ駆動システム。
【請求項３】
前記データ駆動部は、非正常的な状態になると前記ＬＯＣＫ信号を非活性化させて出力して、
前記モニタリング手段は、多数個のデータ駆動部らを少なくとも一つ以上のデータ駆動部でなされたＮ-１個のグループ(Ｎは、２以上の自然数)で設定して、前記ＬＯＣＫ信号を隣接したデータ駆動部に順次に送るように各グループに具備されたデータ駆動部相互間を連結して、各グループで前記ＬＯＣＫ信号をタイミング制御部に送ってフィードバックさせるように前記各グループでＬＯＣＫ信号を受信した最後のデータ駆動部を前記タイミング制御部に連結した第２ないし第Ｎ順次伝達部を含んで構成されることを特徴とする請求項１に記載のデータ駆動部のモニタリング手段が具備されたディスプレイ駆動システム。
【請求項４】
前記各グループに具備されたデータ駆動部で非活性化されたＬＯＣＫ信号が前記タイミング制御部にフィードバックされると、前記タイミング制御部はデータ信号の伝送を中断してフィードバックされる信号が活性化状態に変更されるまでクロック訓練を行ってデータ駆動部を安定化させるように構成されることを特徴とする請求項２または３に記載のデータ駆動部のモニタリング手段が具備されたディスプレイ駆動システム。
【請求項５】
前記データ駆動部は、非正常的な状態になると前記ＬＯＣＫ信号を非活性化させて出力して、
前記モニタリング手段は、
多数個のデータ駆動部から出力されるＬＯＣＫ信号をそれぞれ独立的に論理ゲートに送る第１ＬＯＣＫ信号出力部と、及び
前記タイミング制御部に連結されて前記第１ＬＯＣＫ信号出力部を通じて出力される少なくとも一つ以上のＬＯＣＫ信号らを組み合わせて論理演算した後前記タイミング制御部にフィードバックさせる第１論理ゲートを含んで構成されることを特徴とする請求項１に記載のデータ駆動部のモニタリング手段が具備されたディスプレイ駆動システム。
【請求項６】
前記データ駆動部は、非正常的な状態になると前記ＬＯＣＫ信号を非活性化させて出力して、
前記モニタリング手段は、
多数個のデータ駆動部らを少なくとも一つ以上のデータ駆動部でなされたＭ-１個のグループ(Ｍは、２以上の自然数)で設定して、各グループをなすそれぞれのデータ駆動部から出力されるＬＯＣＫ信号を独立的に論理ゲートに送る第２ないし第ＭＬＯＣＫ信号出力部と、及び
前記第２ないし第ＭＬＯＣＫ信号出力部を通じてグループ別に伝送されたＬＯＣＫ信号を入力として受信して、論理演算した後出力値を前記タイミング制御部にフィードバックさせる第２ないし第Ｍ論理ゲートを含んで構成されることを特徴とする請求項１に記載のデータ駆動部のモニタリング手段が具備されたディスプレイ駆動システム。
【請求項７】
前記モニタリング手段は、
多数個のデータ駆動部で自分の状態情報を示すＬＯＣＫ信号をそれぞれ独立的に出力して、各データ駆動部とタイミング制御部との間に連結された伝送線を通じて前記ＬＯＣＫ信号をタイミング制御部にフィードバックさせる独立フィードバック部を含んで構成されることを特徴とする請求項１に記載のデータ駆動部のモニタリング手段が具備されたディスプレイ駆動システム。
【請求項８】
前記少なくとも一つ以上のデータ駆動部で非活性化されたＬＯＣＫ信号が出力されると、前記データ駆動部はインターフェース部を通じて伝送されるデータ信号を無視して、その前に入力されたデータを利用してディスプレイパネルを駆動して、
前記タイミング制御部は、活性化されたＬＯＣＫ信号がフィードバックされるまでデータ信号とクロック信号との間のスキュ補正(De-skew)用データであるプリアンブル(preamble)信号またはクロック復元のためのクロック訓練信号などをデータ駆動部に送るように構成されることを特徴とする請求項５ないし７のうちいずれか一つに記載のデータ駆動部のモニタリング手段が具備されたディスプレイ駆動システム。
【発明の詳細な説明】
【技術分野】
【０００１】
本発明は、ディスプレイ駆動システムに関し、より詳細には、タイミング制御部でインターフェース部を通じて伝送されるクロック信号とデータ信号を処理してディスプレイパネルに供給する間にデータ駆動部の状態変化をモニタリングしてタイミング制御部にフィードバックできるようにしたデータ駆動部のモニタリング手段が具備されたディスプレイ駆動システムに関する。
【背景技術】
【０００２】
一般にディスプレイ駆動システムは、ディスプレイパネルを駆動するためにデータ信号を処理してクロック信号とタイミング制御信号を生成して供給するタイミング制御部(Timing Controller)と、このようなタイミング制御部に伝送される画像データとタイミング制御信号を使用してパネルを駆動するデータ駆動部(Data driving IC)を含んで構成される。
【０００３】
前記タイミング制御部とデータ駆動部との間にディスプレイしようとする画像データを送るインターフェース部としては、データ信号線とクロック信号線をデータ駆動部らが共有するマルチドロップ(Multi-Drop)方式と、データ信号とクロック信号らが各データ駆動部に別に供給されるＰＰＤＳ(Point-to-Point Differential Signaling)伝送方式、及びデータ信号とクロック信号がマルチレベルに区別されて、タイミング制御部でこのように区別されたクロック信号がエンベディングされたデータ差動信号を独立された各信号線によってデータ駆動部に送るインターフェースなどが利用されている。
【０００４】
しかし、このような従来のディスプレイ駆動システムでタイミング制御部は、データ信号と制御信号をデータ駆動部の状態に関わらずデータ駆動部側に一方的に伝達したりした。
【０００５】
したがって、データ駆動部が高速データ伝送中に誘発される電磁気波干渉(ＥＭＩ:Electro-Magnetic Interference)やノイズなどによって非正常的な状態に処するようになっても、一方的にデータ信号などを送るタイミング制御部ではそのようなデータ駆動部の状態が分かることができなくて、どのような措置も取ることができなくなる問題点があった。
【先行技術文献】
【特許文献】
【０００６】
【特許文献１】特開２００６−３３００２９号公報。
【発明の概要】
【発明が解決しようとする課題】
【０００７】
本発明が解決しようとする技術的課題は、データ駆動部の状態を示す制御信号をタイミング制御部にフィードバックさせることができるモニタリング手段を具備することで、データ駆動部の状態を認知したタイミング制御部が非正常的な状態で動作するデータ駆動部を正常化させることができる適切なデータ信号及び制御信号を送って迅速に正常な動作を回復することができるようにしたデータ駆動部のモニタリング手段が具備されたディスプレイ駆動システムを提供することにある。
【課題を解決するための手段】
【０００８】
前記課題を達成するためのデータ駆動部のモニタリング手段が具備されたディスプレイ駆動システムは、画像データでなされたデータ信号を受信してクロック信号などの制御信号を生成するタイミング制御部と、前記データ信号と制御信号を多数個のデータ駆動部に送るインターフェース部と、該インターフェース部を通じてデータ信号と制御信号を受信してディスプレイパネルに供給して表出するデータ駆動部と、及び前記データ駆動部の状態情報を前記タイミング制御部にフィードバックさせて、データ駆動部をモニタリングするモニタリング手段と、を含んで構成されることを特徴とする。
【発明の効果】
【０００９】
本発明は、データ駆動部の状態変化を示すＬＯＣＫ信号（ロック信号）をタイミング制御部にフィードバックさせてタイミング制御部でデータ駆動部の状態をモニタリングすることができるモニタリング手段を具備することで、データ駆動部の状態を認知したタイミング制御部が非正常的な状態で動作するデータ駆動部を正常化させることができる適切なデータ信号及び制御信号を送って迅速に正常な動作を回復させることができる長所がある。
【図面の簡単な説明】
【００１０】
【図１】本発明によるデータ駆動部のモニタリング手段が具備されたディスプレイ駆動システムの第１実施例を示すブロック構成図である。
【図２】前記第１実施例によってクロック信号とデータ信号が単一レベル信号でなされた伝送データを単一信号線に送ることを示すブロック構成図である。
【図３】本発明によるデータ駆動部のモニタリング手段が具備されたディスプレイ駆動システムの第２実施例を示すブロック構成図である。
【図４】本発明によるデータ駆動部のモニタリング手段が具備されたディスプレイ駆動システムの第３実施例を示すブロック構成図である。
【図５】本発明によるデータ駆動部のモニタリング手段が具備されたディスプレイ駆動システムの第４実施例を示すブロック構成図である。
【図６】本発明によるデータ駆動部のモニタリング手段が具備されたディスプレイ駆動システムの第５実施例を示すブロック構成図である。
【発明を実施するための形態】
【００１１】
以下では本発明の具体的な実施例を、図面を参照して詳しく説明する。
【００１２】
本発明によるデータ駆動部のモニタリング手段が具備されたディスプレイ駆動システムは、画像データでなされたデータ信号を受信してクロック信号などの制御信号を生成して送るタイミング制御部１００と、前記データ信号と制御信号を多数個のデータ駆動部に送るインターフェース部２００と、該インターフェース部を通じてデータ信号と制御信号を受信して、ディスプレイパネルに供給して表出して状態情報を示すＬＯＣＫ信号を出力するデータ駆動部３００、及び前記データ駆動部の状態情報を前記タイミング制御部にフィードバックさせてデータ駆動部をモニタリングすることができるモニタリング手段と、を含んで構成される。この時、前記データ駆動部は非正常的な状態になると前記ＬＯＣＫ信号を非活性化させて出力して、前記タイミング制御部は前記モニタリング手段を通じて非活性化されたＬＯＣＫ信号を受信することで、データ駆動部の状態をモニタリングすることができる。
【００１３】
この時、前記インターフェース部(Ｉ/Ｆ:Interface)２００は、タイミング制御部でデータ駆動部にデータ信号と制御信号を送る通常的なインターフェース部で構成されて、それによって、データ信号線とクロック信号線をデータ駆動部らが共有するマルチドロップ(Multi-Drop)方式や、データ信号とクロック信号らが各データ駆動部に別に供給されるポイント・ツー・ポイント差動伝送方式（差動信号方式ともいう。）(ＰＰＤＳ:Point-to-Point Differential Signaling)、またはクロック信号がデータ信号にエンベディングされた信号を独立された各信号線によってデータ駆動部に送るインターフェースなど多様に構成されることができる。
【００１４】
また、前記インターフェース部２００は、本出願人が大韓民国特許出願第１０−２００８−０１０２４９２号でクロック信号が同一な大きさでデータ信号との間にエンベディングされた単一レベル信号を利用してデータとクロックを送って受信部でクロック訓練期間の間にこれを復元することができるインターフェースを提案したことがあるところ、このような新しいインターフェースで構成されることもできる。
【００１５】
前記モニタリング手段は、データ駆動部３００でタイミング制御部１００に至るように連結されてデータ駆動部３００の状態情報をフィードバックさせることができる多様な手段で構成されることができるし、図１ないし図６を参照して以下で説明される第１ないし第５実施例にその構成が限定されないことは勿論である。
【００１６】
このように、前記モニタリング手段を通じてデータ駆動部３００の状態変化可否を持続的にモニタリングすることで、前記データ駆動部のうちで一部でも非正常的な状態に置かれる場合には、前記タイミング制御部１００で適切なデータ信号及び制御信号を送信して迅速に正常状態に復元させて、前記データ駆動部は正常状態になるまで前記インターフェース部を通じて入力される信号を無視するか、または正常状態になるのに役に立つ適切な信号の入力を受けることができる。
【００１７】
また、前記モニタリング手段は、特定なインターフェースの形式に制限されないでインターフェース規格に構わなく適用されることができることは勿論である。よって、以下では特定のインターフェース部を利用する場合に対して説明するが、前記インターフェース部２００がそれに制限されないで多様に構成されることができることは勿論である。
【００１８】
図１は、本発明によるデータ駆動部のモニタリング手段が具備されたディスプレイ駆動システムの第１実施例を示すブロック構成図である。図１ではデータ信号との間にクロック信号が単一レベルでエンベディングされた伝送データを単一の信号線に送るインターフェース部に対して説明するが、インターフェース部がこれに限定されないことは勿論である。
【００１９】
図１を参照すると、本発明によるデータ駆動部のモニタリング手段が具備されたディスプレイ駆動システムの第１実施例は、データ信号の間にクロック信号が単一レベルでエンベディングされた伝送データと制御信号を送るタイミング制御部１００と、前記クロック信号がエンベディングされたデータ信号を複数のデータ駆動部に送るインターフェース部２００と、前記伝送データを受信してクロック信号を復元してデータ信号をディスプレイパネルに供給して表出するデータ駆動部３００、及び前記データ駆動部の状態情報をタイミング制御部にフィードバックさせるモニタリング手段を含んで構成される。
【００２０】
この時、前記タイミング制御部１００に伝送される伝送データは、送ろうとするデータ信号との間にクロック信号が同一な大きさでエンベディング(embedding)された信号として、前記インターフェース部２００はクロック信号を送るための別途の信号線を具備しないで一つの信号線を利用して前記データ信号との間にクロック信号が同一なレベルでエンベディングされたＣＥＤ(Clock Embedded Data)信号のみをデータ駆動部３００に送る。前記ＣＥＤ信号は、差動信号(Differential Signal)で構成されるだけではなく、単一信号(Single-ended Signal)で構成されることもできる。
【００２１】
図２は、前記第１実施例によってクロック信号とデータ信号が単一レベル信号でなされた伝送データを単一信号線に送ることを示す概略図である。
【００２２】
図２を参照すると、前記タイミング制御部１００は、データを送る前に先ずクロック信号だけで構成された伝送データ(ＣＥＤ信号)を送ることでクロック訓練を始めるようになって、クロック信号が安定化されたことを知らせるＬＯＣＫ０信号をデータ駆動部３００に送る。この時、前記単一レベル信号でなされた伝送データ(ＣＥＤ信号)は、データ信号らの間に同一なレベルのクロック信号を挿入して、挿入されたクロック信号の遷移時点のうちでライジングエッジまたはポーリングエッジを示すためにデータとクロック信号との間にダミー(dummy)信号を挿入して構成される。
【００２３】
前記データ駆動部３００は、タイミング制御部１００または隣接した他のデータ駆動部３００から入力されたＬＯＣＫ信号が“Ｈ”状態(論理ハイ状態)になった後クロック訓練期間の間に伝送されるＣＥＤ信号によってデータサンプリングに使用する受信クロック信号を復元するようになって、受信クロック信号が安定化されるとＬＯＣＫ信号(ＬＯＣＫ１〜ＬＯＣＫN)(Ｎはデータ駆動部の個数を示す正の定数)は“Ｈ”状態を出力する。すなわち、前記データ駆動部３００は、前記タイミング制御部１００からクロック信号が安定化されたことを知らせるＬＯＣＫ信号(ＬＯＣＫ０)が“Ｈ”状態になったことを入力された後受信クロック信号が安定化されるとＬＯＣＫ信号(ＬＯＣＫ１〜ＬＯＣＫN−１)を“Ｈ”状態にして次のデータ駆動部３００に順次出力する。最終的に前記データ駆動部から“Ｈ”状態のＬＯＣＫＮ信号を入力されたタイミング制御部１００は、所定の時間が経った後クロック訓練を終わらせてクロック信号がエンベディングされたデータ信号の伝送を始める。
【００２４】
また、図１及び図２では前記データ駆動部が第１データ駆動部(Ｄ-ＩＣ１)で第８データ駆動部(Ｄ-ＩＣ８)までに示されているが、これに限定されないでディスプレイパネルの大きさによって多様な個数で形成されることができることは勿論である。
【００２５】
前記モニタリング手段は、データ駆動部が自分の状態情報を隣接した他のデータ駆動部に送るように前記データ駆動部３００相互間を順次に連結して、最後に位置したデータ駆動部３００は、その状態情報をタイミング制御部に送ってフィードバックさせるように前記タイミング制御部１００に連結された第１順次伝達部４１０で構成される。
【００２６】
したがって、前記タイミング制御部１００で受信したデータをディスプレイパネルに送る途中電磁気波干渉(ＥＭＩ)やノイズによって少なくとも一つ以上のデータ駆動部が非正常的な状態になると、該当データ駆動部３００はＬＯＣＫ信号を非活性化させて“Ｌ”状態(論理ロー状態)を隣接した他のデータ駆動部に出力する。
【００２７】
このように少なくとも一つ以上のデータ駆動部で隣接した他のデータ駆動部に伝送されるＬＯＣＫ信号が“Ｌ”状態になると以後の他のデータ駆動部から出力されるＬＯＣＫ信号も“Ｌ”状態を出力する。それによって最終データ駆動部(Ｄ-ＩＣ８)を通じてタイミング制御部１００にＬＯＣＫ８信号が“Ｌ”状態に変更されたことが入力されると、前記タイミング制御部１００は、直ちにＣＥＤ信号の伝送を中断してフィードバックされる信号(ＬＯＣＫ８)が再び“Ｈ”状態になるまでクロック訓練を始めてデータ駆動部３００の受信部を安定化させる。
【００２８】
このように、前記ＬＯＣＫ信号が再び“Ｈ”状態で活性化されると前記タイミング制御部１００は、所定時間以後クロック訓練を終了して再び伝送データであるＣＥＤ信号をデータ駆動部に送る。
【００２９】
したがって、このように隣接したデータ駆動部３００相互間に伝送されるＬＯＣＫ信号を最終的にタイミング制御部で受信してフィードバックすることでデータ駆動部での状態変化を持続的にモニタリングして、データ駆動部に異常が発生した場合、速かに再び回復させることができる。
【００３０】
図３は、本発明によるデータ駆動部のモニタリング手段が具備されたディスプレイ駆動システムの第２実施例を示すブロック構成図である。
【００３１】
図３を参照すると、本発明によるデータ駆動部のモニタリング手段が具備されたディスプレイ駆動システムの第２実施例は、データ信号を受信してクロック信号などの制御信号を生成して送るタイミング制御部１００と、このようなデータ信号などを多数個のデータ駆動部に送るインターフェース部２００と、前記データ信号などをディスプレイパネルに供給して表出するデータ駆動部３００、及び前記データ駆動部の状態情報をタイミング制御部にフィードバックさせるモニタリング手段と、を含んで構成される。
【００３２】
この時、前記タイミング制御部１００は、クロック信号をデータ信号の間にエンベディングしないで、前記データ信号とクロック信号をマルチドロップ方式やポイント・ツー・ポイント伝送方式によるインターフェース部２００によって各データ駆動部３００に送るように構成される。また、前記インターフェース部の方式に限定されないでデータ信号との間にクロック信号が単一レベルでエンベディングされた伝送データを送る方式で構成されることもできることは勿論である。
【００３３】
前記モニタリング手段は、多数個のデータ駆動部で自分の状態情報を示すＬＯＣＫ信号をそれぞれ独立的に出力する第１ＬＯＣＫ信号出力部４２０と、前記多数個のデータ駆動部から出力される多数個のＬＯＣＫ信号を組み合わせて論理演算した後、出力(ＬＯＣＫ９)する第１論理ゲート４２１を含んで構成される。この時、前記ＬＯＣＫ信号によって取り合わせたデータ駆動部の状態情報(ＬＯＣＫ９)を前記タイミング制御部にフィードバックさせて送るために前記第１論理ゲート４２１の出力端子が前記タイミング制御部１００に連結されなければならないことは勿論である。
【００３４】
前記データ駆動部から出力されて第１ＬＯＣＫ信号出力部４２０に伝達するＬＯＣＫ信号(ＬＯＣＫ１ないしＬＯＣＫ８)は前記第１実施例と同じく前記データ駆動部３００が正常な状態では活性化状態を示す論理ハイ状態(Ｈ)を出力して、非正常的な状態では非活性化状態を示す論理ロー状態(Ｌ)を出力する。
【００３５】
前記第１論理ゲート４２１は、前記データ駆動部３００から出力される多数個のＬＯＣＫ信号(ＬＯＣＫ１ないしＬＯＣＫ８)のうちいずれか一つでも非活性化状態を示す場合そのような状態変化をタイミング制御部１００に送ることができるように、いずれか一つの入力が論理ロー状態の場合に論理ロー状態を出力するＯＲゲートで構成されることが望ましい。
【００３６】
このように、少なくとも一つ以上のデータ駆動部３００のＬＯＣＫ信号が非活性化状態を示すと前記データ駆動部の受信部が非正常的な状態であるかを示すので、前記データ駆動部３００はインターフェース部２００を通じて引き続き入力されるデータ信号を無視して、その前に入力されたデータを利用してディスプレイパネルを駆動するように構成される。
【００３７】
そして、前記第１論理ゲート４２１からデータ駆動部が非正常的な状態であることを認知したタイミング制御部１００は所定時間以後にデータ信号とクロック信号との間のスキュ補正(De-skew)用データであるプリアンブル(preamble)信号またはクロック復元のためのクロック訓練信号などをデータ駆動部に送って前記すべてのデータ駆動部のＬＯＣＫ信号が活性化状態を示す論理ハイ状態(Ｈ)の信号を出力するまで待つように構成される。
図４は、本発明によるデータ駆動部のモニタリング手段が具備されたディスプレイ駆動システムの第３実施例を示すブロック構成図である。
【００３８】
図４を参照すると、本発明によるデータ駆動部のモニタリング手段が具備されたディスプレイ駆動システムの第３実施例は、データ信号を受信してクロック信号などの制御信号を生成して送るタイミング制御部１００と、このようなデータ信号などを多数個のデータ駆動部に送るインターフェース部２００と、前記データ信号などをディスプレイパネルに供給して表出するデータ駆動部３００、及び前記データ駆動部の状態情報をタイミング制御部にフィードバックさせるモニタリング手段と、を含んで構成される。
【００３９】
この時、前記タイミング制御部とインターフェース部及びデータ駆動部は、前記第１及び第２実施例と同一であるので、以下では前記モニタリング手段の構成を中心に説明する。
【００４０】
前記モニタリング手段は、多数個のデータ駆動部らを少なくとも一つ以上のデータ駆動部でなされたＮ-１個のグループ(Ｎは、２以上の自然数)で設定して、前記ＬＯＣＫ信号を隣接したデータ駆動部に順次送るように各グループに具備されたデータ駆動部ら相互間を連結して、各グループで前記ＬＯＣＫ信号をタイミング制御部に送ってフィードバックさせるように前記各グループでＬＯＣＫ信号を受信した最後のデータ駆動部を前記タイミング制御部に連結した第２ないし第Ｎ順次伝達部を含んで構成される。
【００４１】
前記図４には、第２順次伝達部と第３順次伝達部で構成されることだけが図示されているが、これに限定されないでデータ駆動部の個数によって第２ないし第Ｎ順次伝達部までいくつかで構成されることができることは勿論である。
【００４２】
図４を参照すると、前記モニタリング手段はデータ駆動部が自分の状態情報を隣接した他のデータ駆動部に送るようにデータ駆動部相互間を順次に連結して構成されて、中間部分に位置したデータ駆動部で隣接した他のデータ駆動部に一方向に自分の状態情報を送る第２順次伝達部４３１と、該第２順次伝達部とは異なる方向に自分の状態情報を送る第３順次伝達部４３２を含んで構成される。
【００４３】
この時、前記第２順次伝達部４３１の方向に最後に位置したデータ駆動部(Ｄ-ＩＣ１)は、その状態情報を前記タイミング制御部に送って、前記第３順次伝達部４３２の方向に最後に位置したデータ駆動部(Ｄ-ＩＣ８)もその状態情報を前記タイミング制御部に送るように構成される。
【００４４】
したがって、図４に示されたところのように、前記第２順次伝達部４３１は中間部分に位置する第４データ駆動部(Ｄ-ＩＣ４)で第１データ駆動部(Ｄ-ＩＣ１)方向に状態情報を送るように複数のデータ駆動部(Ｄ-ＩＣ４、Ｄ-ＩＣ３、Ｄ-ＩＣ２、Ｄ-ＩＣ１)がチェーンのように連結されて、その方向に最後に位置する第１データ駆動部(Ｄ-ＩＣ１)はタイミング制御部１００に連結されて構成される。また、前記第３順次伝達部４３２は中間部分に位置する第５データ駆動部(Ｄ-ＩＣ５)から第８データ駆動部(Ｄ-ＩＣ８)方向に状態情報を送るように複数のデータ駆動部(Ｄ-ＩＣ５、Ｄ-ＩＣ６、Ｄ-ＩＣ７、Ｄ-ＩＣ８)がチェーンのように連結されて、その方向に最後に位置する第８データ駆動部(Ｄ-ＩＣ８)はタイミング制御部１００に連結されて構成される。
【００４５】
前記各データ駆動部は、正常状態で隣接した他のデータ駆動部に“Ｈ”状態(論理ハイ状態)のＬＯＣＫ信号を出力して、非正常的な状態では隣接した他の駆動部に“Ｌ”状態(論理ロー状態)のＬＯＣＫ信号を出力する。この時、前記各データ駆動部は隣接したデータ駆動部で受信したＬＯＣＫ信号が“Ｌ”状態である場合には自分の状態に関わらず“Ｌ”状態を出力する。
【００４６】
それによって、前記第２順次伝達部４３１の最終データ駆動部(Ｄ-ＩＣ１)を通じてタイミング制御部１００にＬＯＣＫ１信号が“Ｌ”状態に変更されたことが入力されるか、または前記第３順次伝達部４３２の最終データ駆動部(Ｄ-ＩＣ８)を通じてタイミング制御部１００にＬＯＣＫ８信号が“Ｌ”状態に変更されたことが入力されると、前記タイミング制御部１００は直ちにＣＥＤ信号の伝送を中断してフィードバックされる信号(ＬＯＣＫ１、ＬＯＣＫ８)が再び“Ｈ”状態になるまでクロック訓練を始めてデータ駆動部３００の受信部を安定化させる。この時、前記タイミング制御部はフィードバックされる信号によって非正常的な状態にあるデータ駆動部の位置を把握することができて、より速かに回復させることができる。
【００４７】
図５は、本発明によるデータ駆動部のモニタリング手段が具備されたディスプレイ駆動システムの第４実施例を示すブロック構成図である。
【００４８】
図５を参照すると、本発明によるデータ駆動部のモニタリング手段が具備されたディスプレイ駆動システムの第４実施例は、データ信号を受信してクロック信号などの制御信号を生成して送るタイミング制御部１００と、このようなデータ信号などを多数個のデータ駆動部に送るインターフェース部２００と、前記データ信号などをディスプレイパネルに供給して表出するデータ駆動部３００、及び前記データ駆動部の状態情報をタイミング制御部にフィードバックさせるモニタリング手段と、を含んで構成される。
【００４９】
この時、前記タイミング制御部とインターフェース部及びデータ駆動部は、前記第１、第２及び第３実施例と同一であるので、以下では前記モニタリング手段の構成を中心に説明する。
【００５０】
前記モニタリング手段は、多数個のデータ駆動部らを少なくとも一つ以上のデータ駆動部でなされたＭ-１個のグループ(Ｍは、２以上の自然数)で設定して、各グループをなすそれぞれのデータ駆動部から出力されるＬＯＣＫ信号を独立的に論理ゲートに送る第２ないし第ＭＬＯＣＫ信号出力部と、前記第２ないし第ＭＬＯＣＫ信号出力部を通じてグループ別に伝送されたＬＯＣＫ信号を入力として受信して論理演算した後出力値を前記タイミング制御部にフィードバックさせる第２ないし第Ｍ論理ゲートを含んで構成される。
【００５１】
前記図５には第２ＬＯＣＫ信号出力部と第３ＬＯＣＫ信号出力部、及び第２論理ゲートと第Ｍ論理ゲートで構成されることだけが図示されているが、これに限定されないでデータ駆動部の個数によって第２ないし第ＭＬＯＣＫ信号出力部までいくつかで構成されて、それによって各ＬＯＣＫ信号出力部らから伝送される信号を受信する論理ゲートも第２ないし第Ｍ論理ゲートまでいくつかで構成されることができることは勿論である。
【００５２】
図５を参照すると、前記モニタリング手段は多数個のデータ駆動部で自分の状態情報を示すＬＯＣＫ信号をそれぞれ独立的に出力する第２及び第３ＬＯＣＫ信号出力部４４１、４４３と、前記第２ＬＯＣＫ信号出力部４４１を通じて一部のデータ駆動部らから出力される多数個のＬＯＣＫ信号を組み合わせて論理演算した後、その出力値(ＬＯＣＫ０)をデータ制御部１００に送る第２論理ゲート４４２と、前記第３ＬＯＣＫ信号出力部４４３を通じて残りデータ駆動部らから出力される多数個のＬＯＣＫ信号を組み合わせて論理演算した後、その出力値(ＬＯＣＫ９)をデータ制御部１００に送る第３論理ゲート４４４を含んで構成される。
【００５３】
前記第４実施例では、図５に示されたところのように総８個のデータ駆動部が具備された場合、前記第２論理ゲート４４２は第１データ駆動部ないし第４データ駆動部(Ｄ-ＩＣ１、Ｄ-ＩＣ２、Ｄ-ＩＣ３、Ｄ-ＩＣ４)から出力されるＬＯＣＫ信号を受信するように構成されて、前記第３論理ゲート４４４は第５データ駆動部ないし第８データ駆動部(Ｄ-ＩＣ５、Ｄ-ＩＣ６、Ｄ-ＩＣ７、Ｄ-ＩＣ８)から出力されるＬＯＣＫ信号を受信するように構成される。このように、前記第２及び第３論理ゲート４４２、４４４は、複数のデータ駆動部らから出力されるＬＯＣＫ信号を均分して受信するように複数のデータ駆動部らに連結されて構成されることが望ましい。
【００５４】
前記各データ駆動部から出力されて前記第２ＬＯＣＫ信号出力部４４１に伝達されるＬＯＣＫ信号(ＬＯＣＫ１ないしＬＯＣＫ４)と前記第３ＬＯＣＫ信号出力部４４３に伝達されるＬＯＣＫ信号(ＬＯＣＫ５ないしＬＯＣＫ８)は、データ駆動部３００が正常状態では活性化状態を示す論理ハイ状態(Ｈ)を出力して、非正常的な状態では非活性化状態を示す論理ロー状態(Ｌ)を出力する。
【００５５】
前記第２論理ゲート４４２は、一部データ駆動部から出力される複数のＬＯＣＫ信号(ＬＯＣＫ１ないしＬＯＣＫ４)のうちいずれか一つでも非活性化状態を示す場合、そのような状態変化を示す信号(ＬＯＣＫ０)をタイミング制御部に送ることができるように論理演算するＯＲゲートで構成されて、前記第３論理ゲート４４４も残りデータ駆動部から出力される複数のＬＯＣＫ信号(ＬＯＣＫ５ないしＬＯＣＫ８)のうちいずれか一つでも非活性化状態を示す場合、その状態変化を示す信号(ＬＯＣＫ９)をタイミング制御部に送ることができるように論理演算するＯＲゲートで構成されることが望ましい。
【００５６】
このように、少なくとも一つ以上のデータ駆動部３００のＬＯＣＫ信号が非活性化状態を示すと前記データ駆動部の受信部が非正常的な状態であることを示すので、前記データ駆動部３００はインターフェース部２００を通じて引き続き入力されるデータ信号を無視して、その前に入力されたデータを利用してディスプレイパネルを駆動するように構成される。
【００５７】
この時、複数のデータ駆動部から伝送される状態情報を示す信号であるＬＯＣＫ信号を受信して論理演算する論理ゲートが複数個存在することで、より迅速な論理演算がなされると共に、前記タイミング制御部に問題が発見されたデータ駆動部の概略的な位置を容易に把握することができるので、データ駆動部の非正常的な状態に対してより速かに対処することができる。
【００５８】
図６は、本発明によるデータ駆動部のモニタリング手段が具備されたディスプレイ駆動システムの第５実施例を示すブロック構成図である。
【００５９】
図６を参照すると、本発明によるデータ駆動部のモニタリング手段が具備されたディスプレイ駆動システムの第５実施例は、データ信号を受信してクロック信号などの制御信号を生成して送るタイミング制御部１００と、このようなデータ信号などを多数個のデータ駆動部に送るインターフェース部２００と、前記データ信号などをディスプレイパネルに供給して表出するデータ駆動部３００、及び前記データ駆動部の状態情報をタイミング制御部にフィードバックさせるモニタリング手段と、を含んで構成される。
【００６０】
この時、前記タイミング制御部とインターフェース部とデータ駆動部は、前記第１ないし第４実施例と同一であるので、以下では前記モニタリング手段の構成を中心に説明する。また、前記インターフェース部は、データ信号とクロック信号をマルチドロップ方式やポイント・ツー・ポイント伝送方式によって各データ駆動部に送るように構成されることができることは勿論、データ信号の間にクロック信号が単一レベルでエンベディングされた伝送データを送る方式で構成されることもできることは勿論である。
【００６１】
前記モニタリング手段は、多数個のデータ駆動部で自分の状態情報を示すＬＯＣＫ信号をそれぞれ独立的に出力して、前記ＬＯＣＫ信号を各データ駆動部３００とタイミング制御部１００との間に連結された独立的な伝送線を通じて前記タイミング制御部１００にフィードバックさせる独立フィードバック部４５０を含んで構成される。
【００６２】
前記多数個のデータ駆動部３００から出力されたＬＯＣＫ信号(ＬＯＣＫ１ないしＬＯＣＫ８)は、前記第１ないし第４実施例と同じく前記データ駆動部が正常状態では活性化状態を示す論理ハイ状態(Ｈ)を出力して、非正常的な状態では非活性化状態を示す論理ロー状態(Ｌ)を出力する。
【００６３】
それによって、前記独立フィードバック部４５０を通じて伝送されるＬＯＣＫ信号のうちで少なくとも一つの信号が非活性化状態になると、前記タイミング制御部１００は該当データ駆動部の受信部が非正常的な状態であることを迅速に認知することができる。以後、該当データ駆動部でインターフェース部２００を通じて引き続き入力されるデータ信号を無視して、その前に入力されたデータを利用してディスプレイパネルを駆動して、前記独立フィードバック部４５０を通じてデータ駆動部が非正常的な状態であることを認知したタイミング制御部１００は、歪曲補正(De-skew)用データであるプリアンブル(preamble)信号などを送るように構成される。
【００６４】
このように、タイミング制御部から単純にデータ信号などを受信することばかりしたことを脱して、各データ駆動部が自分の状態を示すＬＯＣＫ信号を隣接データ駆動部に順次伝達して最終的にタイミング制御部に伝達するか、または各データ駆動部から出力されるＬＯＣＫ信号を論理ゲートで組み合わせてタイミング制御部に伝達するか、または各データ駆動部のＬＯＣＫ信号を、前記独立フィードバック部を通じてタイミング制御部に伝達することで、タイミング制御部がデータ駆動部の状態変化を認知して、適切なデータや制御信号を送るなど迅速に措置を取ることができる。
【００６５】
以上では本発明に対する技術思想を添付図面と共に敍述したが、これは本発明の望ましい実施例を例示的に説明したことであって、本発明を限定するものではない。また、本発明が属する技術分野で通常の知識を有した者なら誰も本発明の技術的思想の範疇を離脱しない範囲内で多様な変形及び模倣が可能であることは明白な事実である。
【符号の説明】
【００６６】
１００…タイミング制御部、
２００…インターフェース部、
３００…データ駆動部、
４１０…第１順次伝達部、
４２０…第１ＬＯＣＫ信号出力部、
４２１…第１論理ゲート、
４３１…第２順次伝達部、
４３２…第３順次伝達部、
４４１…第２ＬＯＣＫ信号出力部、
４４２…第２論理ゲート、
４４３…第３ＬＯＣＫ信号出力部、
４４４…第３論理ゲート、
４５０…独立フィードバック部。
【図１】
2010204667.tif 000003
【図２】
2010204667.tif 000004
【図３】
2010204667.tif 000005
【図４】
2010204667.tif 000006
【図５】
2010204667.tif 000007
【図６】
2010204667.tif 000008